(57)【要約】【課題】本発明の目的は、据付作業及び保守作業の効率を向上できるエレベータ制御装置を提供することである。【解決手段】本発明に係るエレベータ制御装置は、昇降路の内部に設けられた第１筐体と、昇降路の内部で第１筐体の上に積み重なるように取り付けられた第２筐体と、第１筐体の上部に設けられた第１コネクタ９と、第２筐体の下部に設けられた第２コネクタ１０と、を備え、第２コネクタ１０は、第１コネクタ９に接続されたものである。【選択図】図１
2015214417.tif 000002
【特許請求の範囲】
【請求項１】
昇降路の内部に設けられた第１筐体と、
前記昇降路の内部で前記第１筐体の上に積み重なるように取り付けられた第２筐体と、
前記第１筐体の上部に設けられた第１コネクタと、
前記第２筐体の下部に設けられた第２コネクタと、
を備え、
前記第２コネクタは、前記第１コネクタに接続されたエレベータ制御装置。
【請求項２】
前記第２コネクタは、前記昇降路の内部において水平方向に移動させることにより前記第１コネクタに着脱可能である請求項１に記載のエレベータ制御装置。
【請求項３】
前記第１コネクタは、メス側のコネクタであり、
前記第２コネクタは、オス側のコネクタである請求項１又は２に記載のエレベータ制御装置。
【請求項４】
前記第２筐体は、前記第１筐体と同形状に形成された請求項１から３のいずれか１項に記載のエレベータ制御装置。
【請求項５】
前記第１筐体は、内部に第１変圧器を備え、
前記第２筐体は、内部に第２変圧器を備え、
前記第１コネクタは、
前記第１変圧器の１次側に接続された１次側上部コネクタと、
前記第１変圧器の２次側に接続された２次側上部コネクタと、
を備え、
前記第２コネクタは、
前記第２変圧器の１次側に接続された１次側下部コネクタと、
前記第２変圧器の２次側に接続された２次側下部コネクタと、
を備え、
前記１次側下部コネクタは、前記１次側上部コネクタに接続され、
前記２次側下部コネクタは、前記２次側上部コネクタに接続された請求項１から４のいずれか１項に記載のエレベータ制御装置。
【請求項６】
前記第１筐体は、内部にリアクトルを備え、
前記第２筐体は、内部に変圧器を備え、
前記第１コネクタは、
前記リアクトルに接続された１次側上部コネクタと、
前記リアクトルに接続されていない２次側上部コネクタと、
を備え、
前記第２コネクタは、
前記変圧器の１次側に接続された１次側下部コネクタと、
前記変圧器の２次側に接続された２次側下部コネクタと、
を備え、
前記１次側下部コネクタは、前記１次側上部コネクタに接続され、
前記２次側下部コネクタは、前記２次側上部コネクタに接続された請求項１から４のいずれか１項に記載のエレベータ制御装置。
【請求項７】
前記昇降路の内部に設けられ、下面に前記第２筐体の上面が固定された上部取付腕と、
前記第２筐体の上面から突出して設けられたメス側のコネクタである第３コネクタと、
を備え、
前記第２筐体の長手方向における一端は、前記上部取付腕の長手方向における一端よりも突出し、
前記第３コネクタは、前記第２筐体の上面のうち前記第２筐体の長手方向において前記上部取付腕の前記一端よりも突出した部分に設けられた請求項１から６のいずれか１項に記載のエレベータ制御装置。
【発明の詳細な説明】
【技術分野】
【０００１】
本発明は、エレベータ制御装置に関するものである。
【背景技術】
【０００２】
下記特許文献１には、エレベータ装置が記載されている。このエレベータ装置は、昇降路の内部に設置された複数の筐体を備えている。複数の筐体は、上下方向に隣接して配置されている。各筐体は、内部に機器を備えている。各機器は、筐体間の配線により接続されている。
【先行技術文献】
【特許文献】
【０００３】
【特許文献１】特開２００３−２０１７１号公報
【発明の概要】
【発明が解決しようとする課題】
【０００４】
特許文献１に記載のエレベータ装置の各筐体を設置又は交換する際には、筐体間の配線作業が必要となる。このため、上記のエレベータ装置では、据付作業及び保守作業の効率が悪い。
【０００５】
本発明は、上記の課題を解決するためになされた。その目的は、据付作業及び保守作業の効率を向上できるエレベータ制御装置を提供することである。
【課題を解決するための手段】
【０００６】
本発明に係るエレベータ制御装置は、昇降路の内部に設けられた第１筐体と、昇降路の内部で第１筐体の上に積み重なるように取り付けられた第２筐体と、第１筐体の上部に設けられた第１コネクタと、第２筐体の下部に設けられた第２コネクタと、を備え、第２コネクタは、第１コネクタに接続されたものである。
【発明の効果】
【０００７】
本発明において、第２筐体の下部に設けられた第２コネクタは、第１筐体の上部に設けられた第１コネクタに接続されている。このため、本発明によれば、エレベータ制御装置の据付作業及び保守作業の効率を向上することができる。
【図面の簡単な説明】
【０００８】
【図１】本発明の実施の形態１におけるエレベータ制御装置の一例を示す斜視図である。
【図２】本発明の実施の形態１におけるエレベータ制御装置の一例を示す正面図である。
【図３】本発明の実施の形態１におけるエレベータ制御装置の一例を示す上面図である。
【図４】本発明の実施の形態１におけるエレベータ制御装置の一例を示す右側面図である。
【図５】本発明の実施の形態１におけるエレベータ制御装置の回路の一例を示す回路図である。
【図６】本発明の実施の形態２におけるエレベータ制御装置の回路の一例を示す回路図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１におけるエレベータ制御装置の一例を示す斜視図である。エレベータ制御装置は、図示しない昇降路の内部に設けられている。昇降路の内部には、上下方向に沿ってレール１が設けられている。レール１は、手前側に突出した形状に形成されている。レール１は、昇降路の内部を昇降される乗りかごを案内する。
【００１１】
図１に示すように、エレベータ制御装置は、下部取付腕２及び上部取付腕３を備えている。下部取付腕２は、クリップ４によりレール１に固定されている。上部取付腕３は、他のクリップ４によりレール１に固定されている。下部取付腕２及び上部取付腕３は、奥側からレール１に取り付けられている。上部取付腕３は、下部取付腕２よりも上方でレール１に取り付けられている。
【００１２】
エレベータ制御装置は、第１ユニット、第２ユニット及び第３ユニットを備えている。第１ユニットは、筐体５を備えている。第２ユニットは、筐体６を備えている。第３ユニットは、筐体７を備えている。筐体５、筐体６及び筐体７は、上下方向において、下部取付腕２と上部取付腕３との間に設置されている。筐体５は、長手方向に沿って下部取付腕２の上に取り付けられている。筐体５の下面は、下部取付腕２の上面に固定されている。筐体６は、筐体５の上に積み重なるように取り付けられている。筐体７は、筐体６の上に積み重なるように取り付けられている。筐体７は、長手方向に沿って上部取付腕３の下に取り付けられている。筐体７の上面は、ボルト８により上部取付腕３の下面に固定されている。このようにして、筐体５、筐体６及び筐体７は、下部取付腕２及び上部取付腕３を介してレール１に支持されている。筐体５、筐体６及び筐体７は、レール１に直接取り付けられてはいない。
【００１３】
筐体７は、上部に第１コネクタ９を備えている。第１コネクタ９は、筐体７の上面から上方に突出して設けられている。第１コネクタ９は、メス側のソケット式コネクタである。第１コネクタ９の端子は、手前側を向いている。
【００１４】
図２は、実施の形態１におけるエレベータ制御装置の一例を示す正面図である。図３は、実施の形態１におけるエレベータ制御装置の一例を示す上面図である。図４は、実施の形態１におけるエレベータ制御装置の一例を示す右側面図である。
【００１５】
図２に示すように、下部取付腕２及び上部取付腕３は、長手方向において同程度の長さに形成されている。下部取付腕２及び上部取付腕３は、左端付近をレール１に固定されている。下部取付腕２は、上面が水平になるように取り付けられている。上部取付腕３は、下面が水平になるように取り付けられている。上部取付腕３は、下面が下部取付腕２の上面と対向するように配置されている。
【００１６】
筐体５の左端は、レール１の右端よりも右側に位置している。筐体５の右端は、下部取付腕２の右端よりも右側に突出している。筐体６及び筐体７は、左右両端が筐体５の左右両端と揃うように取り付けられている。筐体７の左端は、レール１の右端よりも右側に位置している。筐体７の右端は、上部取付腕３の右端よりも右側に突出している。第１コネクタ９は、上部取付腕３の右端よりも右側に位置している。筐体５、筐体６及び筐体７の左端とレール１の右端との間には、手前側から見て間隙が形成された状態となっている。
【００１７】
図３に示すように、上部取付腕３には、短手方向に沿ってガイド用長穴８ａが形成されている。ガイド用長穴８ａは、上下方向に貫通して形成されている。ボルト８は、上方からガイド用長穴８ａに挿入されている。筐体７は、ガイド用長穴８ａを介してボルト８により固定されている。ボルト８は、緩められた状態で、ガイド用長穴８ａに沿って水平に移動できる。つまり、筐体７は、ボルト８が緩められた状態で手前側又は奥側に移動可能である。
【００１８】
筐体７の第１コネクタ９は、筐体７の上面のうち上部取付腕３の右端よりも右側に突出した部分に設けられている。筐体７の第１コネクタ９は、筐体７の上面の右奥側に配置されている。筐体７の第１コネクタ９は、右端が筐体７の上面の右端に沿って配置されている。筐体７の第１コネクタ９は、奥側の一端が筐体７の上面の奥側の一端に沿って配置されている。
【００１９】
図４に示すように、筐体５は、下部に第２コネクタ１０を備えている。筐体５の第２コネクタ１０は、筐体５の下面の右奥側に配置されている。第２コネクタ１０は、筐体５の下面が上方に凹んだ部位に設けられている。第２コネクタ１０は、オス側のソケット式コネクタである。第２コネクタ１０の端子は、奥側を向いている。
【００２０】
筐体５、筐体６及び筐体７は、同形状に形成されている。つまり、筐体５及び筐体６も第１コネクタ９を備えている。また、筐体６及び筐体７も、第２コネクタ１０を備えている。各筐体は、当該筐体の第１コネクタ９と当該筐体の上に取り付けられる他の筐体の第２コネクタ１０とが嵌め合わせられるように形成されている。第２コネクタ１０は、手前側から奥側へ水平にスライドされることで第１コネクタ９に接続される。筐体６の第２コネクタ１０は、筐体６を手前から奥側へスライドさせることで、筐体５の第１コネクタ９に接続されている。筐体７の第２コネクタ１０は、筐体７を手前から奥側へスライドさせることで、筐体６の第１コネクタ９に接続されている。
【００２１】
図５は、実施の形態１におけるエレベータ制御装置の回路の一例を示す回路図である。図５は、第１ユニット、第２ユニット及び第３ユニットが変圧器盤である場合の例を示している。変圧器盤は、電源電圧を変圧する変圧器を内蔵したものである。なお、図５は、回路としての接続の関係を示すものであり、コネクタ及び端子等の実際の位置関係を示すものではない。
【００２２】
図５に示すように、筐体５、筐体６及び筐体７は、それぞれ内部に変圧器を備えている。各筐体の第１コネクタ９は、１次側上部コネクタ９ａ及び２次側上部コネクタ９ｂを備えている。各筐体の第２コネクタ１０は、１次側下部コネクタ１０ａ及び２次側下部コネクタ１０ｂを備えている。各筐体の１次側上部コネクタ９ａ及び１次側下部コネクタ１０ａは、当該筐体の内部の変圧器の１次側に接続されている。各筐体の２次側上部コネクタ９ｂ及び２次側下部コネクタ１０ｂは、当該筐体の内部の変圧器の２次側に接続されている。筐体５の１次側上部コネクタ９ａは、筐体６の１次側下部コネクタ１０ａに接続されている。筐体５の２次側上部コネクタ９ｂは、筐体６の２次側下部コネクタ１０ｂに接続されている。筐体６の１次側上部コネクタ９ａは、筐体７の１次側下部コネクタ１０ａに接続されている。筐体６の２次側上部コネクタ９ｂは、筐体７の２次側下部コネクタ１０ｂに接続されている。このように、各筐体の第２コネクタ１０が他の筐体の第１コネクタ９に接続されることで、各筐体の内部の変圧器同士が電気的に接続されている。
【００２３】
エレベータ制御装置は、メイン制御盤１１を備えている。メイン制御盤１１は、メイン制御回路を備えている。メイン制御回路には、１次側遮断器１２が設けられている。メイン制御盤１１は、乗りかごを昇降させるモータ１３に接続されている。メイン制御盤１１には、筐体５の１次側下部コネクタ１０ａ及び２次側下部コネクタ１０ｂが電気的に接続されている。１次側遮断器１２の一側は、筐体５の１次側下部コネクタ１０ａに電気的に接続されている。１次側遮断器１２の他側は、電源に接続されている。モータ１３は、メイン制御盤１１を介して、筐体５の２次側下部コネクタ１０ｂに電気的に接続されている。メイン制御盤１１は、モータ１３の駆動の制御等を行う。１次側遮断器１２が作動すると、電源からの通電が遮断される。
【００２４】
実施の形態１におけるエレベータ制御装置は、機器を内蔵する複数の筐体を備えている。各筐体は、上部に設けられた第１コネクタ９及び下部に設けられた第２コネクタ１０を備えている。複数の筐体は、上下に積み重なるように設けられている。上下に隣接する２つの筐体において、上側の筐体の第２コネクタ１０は、下側の筐体の第１コネクタ９に接続されている。これにより、上側の筐体が内蔵する機器は、下側の筐体が内蔵する機器に電気的に接続されている。つまり、外部配線を使用せずに、複数の筐体が内蔵する機器同士を並列接続又は直列接続することが可能である。このため、実施の形態１におけるエレベータ制御装置であれば、筐体を設置又は交換する際に筐体間の配線作業を行う必要がない。その結果、エレベータ制御装置の据付作業及び保守作業の効率を向上することができる。本発明は、例えば、昇降路の内部にエレベータ制御装置が設けられる機械室レスのエレベータ等に適用できる。
【００２５】
実施の形態１において、第２コネクタ１０は、昇降路の内部で水平方向に移動させることにより第１コネクタ９に着脱可能である。つまり、上下に隣接する２つの筐体において、上側の筐体は、奥側にスライドさせることで取り付けられる。また、上側の筐体は、手前側にスライドさせることで取り外される。このため、実施の形態１におけるエレベータ制御装置であれば、容易に筐体を設置又は交換することができる。また、例えば、筐体６のように他の２つの筐体に上下を挟まれている筐体だけを交換することも可能である。その結果、エレベータ制御装置の据付作業及び保守作業の効率を向上することができる。
【００２６】
実施の形態１において、第１コネクタ９はメス側のコネクタであり、第２コネクタ１０はオス側のコネクタである。つまり、第１コネクタ９は、第２コネクタ１０が接続されていない場合であっても、外部に端子が露出しない。このため、実施の形態１におけるエレベータ制御装置であれば、１次側遮断器１２により通電を遮断することなく筐体を取り外すことが可能である。その結果、エレベータの緊急時等における活線作業が容易になる。例えば、筐体７が故障した場合、活線作業で筐体７を取り外すことができる。この場合、変圧器盤は第１ユニットと第２ユニットとの並列回路となるが、この状態であってもエレベータの低速度運転等のような低電源容量の運転は可能である。これにより、例えば、エレベータ制御装置の故障による閉じ込め事故の際に、エレベータ利用者を迅速に救出することが可能となる。
【００２７】
実施の形態１において、各筐体は同形状に形成されている。このため、複数の筐体を積み重ねるようにして容易に設置することができる。その結果、エレベータ制御装置の据付作業及び保守作業の効率を向上することができる。また、筐体の形状が１種類であるため、筐体の製造及びユニットの組立の工程を効率化することができる。
【００２８】
実施の形態１において、各筐体は、内部に変圧器を備えている。上下に隣接する２つの筐体において、上側の筐体の１次側下部コネクタ１０ａは、下側の筐体の１次側上部コネクタ９ａに接続されている。また、上側の筐体の２次側下部コネクタ１０ｂは、下側の筐体の２次側上部コネクタ９ｂに接続されている。このため、複数の変圧器盤を設置する必要がある場合に、筐体間の配線作業を行うことなく変圧器同士を電気的に接続することができる。その結果、エレベータ制御装置の据付作業及び保守作業の効率を向上することができる。
【００２９】
実施の形態１において、筐体７の長手方向における一端は、上下方向から見て上部取付腕３の長手方向における一端よりも突出している。筐体７の第１コネクタ９は、筐体７の上面のうち、筐体７の長手方向において上部取付腕３の一端よりも突出した部分に設けられている。つまり、筐体７を取り付ける際に、第１コネクタ９が上部取付腕３と干渉することがない。このため、最も上側に位置する筐体を上部取付腕３に固定することができる。
【００３０】
実施の形態２．
図６は、実施の形態２におけるエレベータ制御装置の回路の一例を示す回路図である。以下、実施の形態１との相違点を中心に、実施の形態２について説明する。重複する説明は、適宜簡略化あるいは省略する。なお、図６は、回路としての接続の関係を示すものであり、コネクタ及び端子等の実際の位置関係を示すものではない。
【００３１】
実施の形態２におけるエレベータ制御装置は、第１ユニット、第２ユニット及び第３ユニットに加えて、第４ユニットを備えている。図６は、第４ユニットがリアクトル盤である場合の例を示している。リアクトル盤は、電源高調波を抑制するリアクトルを内蔵したものである。
【００３２】
第４ユニットは、筐体１４を備えている。筐体１４は、筐体５、筐体６及び筐体７と同形状に形成されている。つまり、筐体１４も第１コネクタ９及び第２コネクタ１０を備えている。筐体５、筐体６、筐体７及び筐体１４は、上下方向において、下部取付腕２と上部取付腕３との間に設置されている。筐体１４は、実施の形態１における筐体５と同様にして、下部取付腕２に取り付けられている。筐体５は、筐体１４の上に積み重なるように取り付けられている。筐体５の第２コネクタ１０は、筐体５を手前から奥側へスライドさせることで、筐体１４の第１コネクタ９に接続されている。
【００３３】
図６に示すように、筐体１４は、内部にリアクトルを備えている。筐体１４の１次側上部コネクタ９ａ及び１次側下部コネクタ１０ａは、筐体１４の内部のリアクトルに接続されている。筐体１４の２次側上部コネクタ９ｂ及び２次側下部コネクタ１０ｂは、筐体１４の内部で互いに接続されている。筐体１４の１次側上部コネクタ９ａは、筐体５の１次側下部コネクタ１０ａに接続されている。筐体１４の２次側上部コネクタ９ｂは、筐体５の２次側下部コネクタ１０ｂに接続されている。このようにして、筐体１４の内部のリアクトルは、筐体５の内部の変圧器に電気的に接続されている。
【００３４】
メイン制御盤１１には、筐体１４の１次側下部コネクタ１０ａ及び２次側下部コネクタ１０ｂが電気的に接続されている。１次側遮断器１２の一側は、筐体１４の１次側下部コネクタ１０ａに電気的に接続されている。モータ１３は、メイン制御盤１１を介して、筐体１４の２次側下部コネクタ１０ｂに電気的に接続されている。
【００３５】
実施の形態２において、筐体１４は、内部にリアクトルを備えている。上下に隣接する筐体５及び筐体１４において、筐体５の１次側下部コネクタ１０ａは、筐体１４の１次側上部コネクタ９ａに接続されている。また、筐体５の２次側下部コネクタ１０ｂは、筐体１４の２次側上部コネクタ９ｂに接続されている。このため、変圧器盤及びリアクトル盤を設置する必要がある場合に、筐体間の配線作業を行うことなく変圧器とリアクトルを電気的に接続することができる。その結果、エレベータ制御装置の据付作業及び保守作業の効率を向上することができる。
【００３６】
実施の形態１及び２では、第１コネクタ９及び第２コネクタ１０は、水平方向に移動させることにより着脱される。しかしながら、第１コネクタ９及び第２コネクタ１０は、上下方向に移動させることにより着脱されるように形成してもよい。この場合であっても、筐体を設置又は交換する際に筐体間の配線作業を行う必要がないことによる効果を得ることができる。
【００３７】
実施の形態１及び２では、下部取付腕２と上部取付腕３との間に３つ又は４つの筐体が設置されている。しかしながら、設置される筐体の数は、必要に応じて２つ又は５つ以上としてもよい。
【００３８】
実施の形態１及び２では、メイン制御盤１１は、各ユニットとは別個に設けられている。しかしながら、筐体５、筐体６、筐体７及び筐体１４と同形状の筐体の内部にメイン制御回路を設けたものをメイン制御盤１１としてもよい。そして、この場合、メイン制御盤１１の筐体も下部取付腕２と上部取付腕３との間に設置することとしてもよい。
【符号の説明】
【００３９】
１  レール、２  下部取付腕、３  上部取付腕、４  クリップ、５  筐体、６  筐体、７  筐体、８  ボルト、８ａ  ガイド用長穴、９  第１コネクタ、９ａ  １次側上部コネクタ、９ｂ  ２次側上部コネクタ、１０  第２コネクタ、１０ａ  １次側下部コネクタ、１０ｂ  ２次側下部コネクタ、１１  メイン制御盤、１２  １次側遮断器、１３  モータ、１４  筐体
【図１】
2015214417.tif 000003
【図２】
2015214417.tif 000004
【図３】
2015214417.tif 000005
【図４】
2015214417.tif 000006
【図５】
2015214417.tif 000007
【図６】
2015214417.tif 000008